(57)【要約】【課題】Ｍｉｒａｃａｓｔ接続などにより端末機器と同じ画像を表示装置に表示させた場合に、画像データを、端末機器の使用者に見やすい向きで速やかに表示できる表示装置、表示システム、および表示方法を提供する。【解決手段】表示装置は、端末機器から接続認証情報を近距離通信で受信する一または複数の受信部と、端末機器との接続を確立させた受信部の位置と端末機器とを関係付けた受信位置情報を生成させる制御部とを備える。制御部は、受信位置情報に基づき、端末機器から受信した画像データの向きを設定し、設定された向きで画像データを前記表示部に表示させる。【選択図】図２
2019020737.tif 000002
【特許請求の範囲】
【請求項１】
画像を表示部に表示する表示装置であって、
端末機器から接続認証情報を近距離通信で受信する一または複数の受信部と、
前記端末機器との接続を確立させた受信部の位置と該端末機器とを関係付けた受信位置情報を生成させる制御部と、
を備え、
前記制御部は、前記受信位置情報に基づき、前記端末機器から受信した前記画像データの向きを設定し、設定された向きで前記画像データを前記表示部に表示させることを特徴とする表示装置。
【請求項２】
前記表示装置は、前記端末機器から前記画像データを受信する他の受信部をさらに備えることを特徴とする請求項１に記載の表示装置。
【請求項３】
前記受信部は、前記表示装置の周縁に配置され、
前記制御部は、前記端末機器との接続を確立させた受信部の位置で前記端末機器に正対するように、前記画像データの向きを設定することを特徴とする請求項１または２に記載の表示装置。
【請求項４】
前記表示装置は、前記表示装置のアドレスを前記端末機器に送信する送信部をさらに備え、
前記受信部は、前記端末機器が前記表示装置のアドレスを用いて送信した、前記端末機器に表示されている画像データを前記端末機器から受信することを特徴とする請求項１から３の何れか一項に記載の表示装置。
【請求項５】
端末機器と、画像を表示部に表示する表示装置とを有する表示システムであって、
前記表示装置は、
端末機器から接続認証情報を近距離通信で受信する一または複数の受信部と、
前記端末機器との接続を確立させた受信部の位置と前記端末機器とを関係付けた受信位置情報を生成させる制御部と、
を備え、
前記制御部は、前記受信位置情報に基づき、前記端末機器から受信した前記画像データの向きを設定し、設定された向きで前記画像データを前記表示部に表示させ、
前記端末機器は、
前記端末機器に表示されている画像データを前記表示装置に送信する際、前記表示装置が予め前記端末機器に送信した表示装置のアドレスを用いて送信することを特徴とする表示システム。
【請求項６】
画像を表示部に表示する表示装置による表示方法であって、
端末機器から接続認証情報を近距離通信で受信部により受信する受信ステップと、
前記端末機器との接続を確立させた受信部の位置と前記端末機器とを関係付けた受信位置情報を生成させる制御ステップと、
を備え、
前記制御ステップでは、前記受信位置情報に基づき、前記端末機器から受信した画像データの向きを設定し、設定された向きで前記画像データを前記表示部に表示させる、
ことを特徴とする表示方法。
【発明の詳細な説明】
【技術分野】
【０００１】
本発明は、表示装置、表示システム、および表示方法に関し、詳細には、携行可能な端末機器に接続される表示装置、表示システム、および表示方法に関する。
【背景技術】
【０００２】
表示画面を有したＰＣ（Personal Computer）などの表示装置では、その表示内容がキ
ーボードの操作位置から読み取れるように表示されている。このため、表示内容はキーボードの操作位置以外の方向からは読み取り難くなる。
ここで、対面での打ち合わせ等では、表示画面を平置きするタイプの表示装置が活用されている。この場合、表示画面の操作者とは別の方向にいる者にも、その表示内容を読み取り可能にする必要がある。例えば、特許文献１，２には、表示内容を対面する２方向などからそれぞれ読み取り可能にした表示装置の技術が提案されており、当該技術を上記表示装置に利用することが考えられる。
【先行技術文献】
【特許文献】
【０００３】
【特許文献１】特開平５−１９７５０７号公報
【特許文献２】特開平８−１７９７５３号公報
【発明の概要】
【発明が解決しようとする課題】
【０００４】
ところで、近年、スマートフォンやＰＤＡ（Personal Digital Assistant）などの携行可能な端末機器が急速に普及し、この端末機器の表示画面を液晶モニタ等の表示装置の大画面にそのまま表示させるＭｉｒａｃａｓｔ（登録商標）という技術が知られている。このＭｉｒａｃａｓｔは、Ｗｉ-Ｆｉ Ａｌｌｉａｎｃｅで策定された無線接続規格であり、無線ＬＡＮを使って表示装置と端末機器とを１対１で接続する。そのため、無線ＬＡＮルータは不要となる。接続は簡単で、例えば、表示装置側の所定の入力切替ボタンを選択し、接続の待受中になったら、対応する端末機器側でＭｉｒａｃａｓｔ用アプリケーションを起動させることにより、双方が相手を認識し、端末機器の画像データが表示装置の大画面に表示される。
【０００５】
しかし、上記の特許文献１，２に記載の技術を利用した場合、表示方向の設定が必要になり、端末機器の使用者が見やすい向きの画像データを速やかに表示できないという問題がある。
【０００６】
本発明は、上述のような実情に鑑みてなされたもので、Ｍｉｒａｃａｓｔ接続などにより端末機器と同じ画像を表示装置に表示させた場合に、画像データを、端末機器の使用者に見やすい向きで速やかに表示できる表示装置、表示システム、および表示方法を提供することを目的とする。
【課題を解決するための手段】
【０００７】
上記課題を解決するために、本発明の第１の技術手段は、画像を表示部に表示する表示装置であって、端末機器から接続認証情報を近距離通信で受信する一または複数の受信部と、前記端末機器との接続を確立させた受信部の位置と該端末機器とを関係付けた受信位置情報を生成させる制御部と、を備え、前記制御部は、前記受信位置情報に基づき、前記端末機器から受信した前記画像データの向きを設定し、設定された向きで前記画像データを前記表示部に表示させることを特徴としたものである。
【０００８】
第２の技術手段は、第１の技術手段において、該表示装置は、前記端末機器から前記画像データを受信する他の受信部をさらに備えることを特徴としたものである。
【０００９】
第３の技術手段は、第１または第２の技術手段において、該表示装置は、前記受信部は、前記表示装置の周縁に配置され、前記制御部は、前記端末機器との接続を確立させた受信部の位置で前記端末機器に正対するように、前記画像データの向きを設定することを特徴としたものである。
【００１０】
第４の技術手段は、第１から第３の技術手段において、該表示装置は、前記表示装置のアドレスを前記端末機器に送信する送信部をさらに備え、前記受信部は、前記端末機器が前記表示装置のアドレスを用いて送信した、前記端末機器に表示されている画像データを前記端末機器から受信することを特徴としたものである。
【００１１】
第５の技術手段は、端末機器と、画像を表示部に表示する表示装置とを有する表示システムであって、前記表示装置は、端末機器から接続認証情報を近距離通信で受信する一または複数の受信部と、前記端末機器との接続を確立させた受信部の位置と前記端末機器とを関係付けた受信位置情報を生成させる制御部と、を備え、前記制御部は、前記受信位置情報に基づき、前記端末機器から受信した前記画像データの向きを設定し、設定された向きで前記画像データを前記表示部に表示させ、前記端末機器は、前記端末機器に表示されている画像データを前記表示装置に送信する際、前記表示装置が予め前記端末機器に送信した表示装置のアドレスを用いて送信することを特徴としたものである。
【００１２】
第６の技術手段は、画像を表示部に表示する表示装置による表示方法であって、端末機器から接続認証情報を近距離通信で受信部により受信する受信ステップと、前記端末機器との接続を確立させた受信部の位置と前記端末機器とを関係付けた受信位置情報を生成させる制御ステップと、を備え、前記制御ステップでは、前記受信位置情報に基づき、前記端末機器から受信した画像データの向きを設定し、設定された向きで前記画像データを前記表示部に表示させることを特徴としたものである。
【発明の効果】
【００１３】
本発明によれば、端末機器からの画像データの受信に伴って画像データの向きを自動的に変更するので、従来のような表示方向の設定が不要になり、画像データを、端末機器の使用者に見やすい向きで速やかに表示できる。
【図面の簡単な説明】
【００１４】
【図１】本発明に係る表示システムの外観構成例を示す図である。
【図２】本発明の第１の実施形態に係る表示装置および端末機器の機能的な構成例を示すブロック図である。
【図３】図２の表示装置による表示方法の一例を説明するためのフロー図である。
【図４】図２の表示装置に表示される画面の一例を示す図である。
【図５】本発明の第２の実施形態に係る表示装置による表示方法の一例を説明するためのフロー図である。
【発明を実施するための形態】
【００１５】
以下、添付図面を参照しながら、本発明の表示装置、表示システム、および表示方法に係る好適な実施の形態について説明する。
図１は、本発明に係る表示システムの外観構成例を示す図である。表示システムは、携帯端末２ａ，２ｂと、この携帯端末２ａ，２ｂに接続される液晶モニタ１とからなる。携帯端末２ａ，２ｂが本発明の携行可能な端末機器に、液晶モニタ１が本発明の表示装置にそれぞれ相当する。
【００１６】
液晶モニタ１は、例えば、表示画面と液晶モニタの接地面との角度が０°程度の平置きタイプ（ホリゾンスタイルともいう）であり、携帯端末２ａ，２ｂに比べて大画面で構成されている。なお、本発明は、ペンライティングスタイル（表示画面と接地面との角度が１０°程度）にも適用可能である。
大画面の液晶モニタ１と小画面の携帯端末２ａ，２ｂとは、例えば、Ｆｅｌｉｃａ（登録商標）等のＲＦＩＤ（Radio Frequency Identification）システムを用いた無線接続や、前述のＭｉｒａｃａｓｔ接続あるいは同様の機能を有する無線接続されており、これらのペアリングが終了した場合、携帯端末２ａ，２ｂで表示する画像データを液晶モニタ１に送信し、液晶モニタ１では携帯端末２ａ，２ｂと同じ画像を表示する。
【００１７】
（第１実施形態）
図２は、本発明の第１の実施形態に係る表示装置および端末機器の機能的な構成例を示すブロック図である。液晶モニタ１は、例えば計４つの送受信部１１ａ〜１１ｄ、認証処理部１２、制御部１３、記憶部１４、表示パネル制御部１５、および表示パネル１６を備える。なお、送受信部１１ａ〜１１ｄが本発明の受信部や送信部に、表示パネル１６が本発明の表示部にそれぞれ相当するが、本発明に係る表示装置としては、液晶モニタ１以外の薄型表示装置であってもよく、有機ＥＬパネル、プラズマディスプレイあるいは液晶テレビをモニタとして利用するものであってもよい。
【００１８】
送受信部１１ａ〜１１ｄは、液晶モニタ１の周縁に沿って点在するように配置されている。例えば、図２に示した液晶モニタ１の手前側（図１に示した表示パネル１６の手前側の長辺に相当する）では、左端近傍の送受信部１１ｄと右端近傍の送受信部１１ｃとを有し、液晶モニタ１の奥側（図１に示した表示パネル１６の奥側の長辺に相当する）では、左端近傍の送受信部１１ａと右端近傍の送受信部１１ｂとを有している。
【００１９】
送受信部１１ａ〜１１ｄは、後述のように液晶モニタ側のアドレスを制御部１３からの指示によって携帯端末２ａ，２ｂに送信し、その後、携帯端末２ａ，２ｂから送られてくる認証データを受信し、認証処理部１２に送る。
認証処理部１２は、携帯端末２ａ，２ｂからのペアリング要求があり、携帯端末２ａ，２ｂからの認証データと記憶部１４のデータとの照合結果が正しい場合、その処理結果を制御部１３に送り、制御部１３は携帯端末２ａ，２ｂとの通信を確立させる。なお、この認証は、近距離通信に適用されるＲＦＩＤであり、一例としてＮＦＣ（Near Field Communication）が用いられる。
【００２０】
制御部１３は、液晶モニタ１の動作を制御するためのＣＰＵなどで構成され、記憶部１４の例えばＲＯＭに格納されている各種のプログラムやデータをＲＡＭにロードし、このロードしたＲＡＭ内のプログラムを実行する。
また、制御部１３は、認証位置判定部１３ａ、接続処理部１３ｂ、および映像処理部１３ｃを有している。
【００２１】
認証位置判定部１３ａは、携帯端末２ａ，２ｂと通信した送受信部１１ａ〜１１ｄの位置を認証処理部１２から受け取った場合、携帯端末２ａ，２ｂと送受信部１１ａ〜１１ｄの位置とを関連付けた受信位置情報を作成する。記憶部１４はこの受信位置情報を記憶する。
接続処理部１３ｂは、液晶モニタ１と携帯端末２ａ，２ｂとの通信が確立した後、携帯端末２ａ，２ｂから送受信部１１ａ〜１１ｄ等を介して送られてくる画像データを解析、デコードし、デコード後の画像データを映像処理部１３ｃに送る。
【００２２】
映像処理部１３ｃは、認証位置判定部１３ａによる受信位置情報に基づき、携帯端末２ａ，２ｂに表示されている画像データの向きと、送受信部１１ａ〜１１ｄの位置から図１に示した表示パネル１６を見た際にこの表示パネル１６に表示される画像データの向きとが同じ方向となるように、受信した画像データの向きを設定し、この設定結果を表示パネル制御部１２に送る。このため、映像処理部１３ｃが本発明の制御部に相当する。
【００２３】
表示パネル制御部１２は、表示パネル１６の駆動制御を行うためのもので、映像処理部１３ｃからの画像データを可視できる状態で表示パネル１６に表示させる。表示パネル１６は、本例では液晶パネルで構成される。
携帯端末２ａ，２ｂは、例えば、スマートフォンなどであり、送受信部２１、表示部２２、制御部２３、および記憶部２４を備える。なお、本発明に係る端末機器としては、携帯端末２ａ，２ｂ以外であってもよく、例えば、タッチパネルを搭載したＰＣなどであってもよい。
【００２４】
図３は、図２の表示装置による表示方法の一例を説明するためのフロー図であり、図４は、図２の表示装置に表示される画面の一例を示す図である。
認証処理部１２は、携帯端末２ａ，２ｂが所定範囲内に接近しているか否かを判定する（ステップＳ１）。送受信部１１ａ〜１１ｄでは起動信号（電磁波）が常時送信されており、例えば、携帯端末２ａ，２ｂの使用者が携帯端末２ａ，２ｂを送受信部１１ａ〜１１ｄにかざした場合、携帯端末２ａ，２ｂの送受信部２１は、送受信部１１ａ〜１１ｄからの起動信号を受信する。この場合、例えば、携帯端末２ａ，２ｂの制御部２３は、この起動信号の搬送波を整流して直流電源を作成して内部回路を駆動させ、応答信号を送受信部１１ａ〜１１ｄに送信する。
【００２５】
この応答信号の受信により、認証処理部１２は、携帯端末２ａ，２ｂが送受信部１１ａ〜１１ｄの所定範囲内に接近したと判定し（ステップＳ１のＹＥＳ）、液晶モニタ側のアドレスを携帯端末２ａ，２ｂに送信する（ステップＳ２）。
次に、認証処理部１２は、携帯端末２ａ，２ｂからのペアリング要求があるか否かを判定する（ステップＳ３）。
【００２６】
携帯端末２ａ，２ｂがこの液晶モニタ側のアドレスを用い、ペアリングを要求する旨の信号を携帯端末２ａ，２ｂの認証データと共に、液晶モニタ１に送信した場合（ステップＳ３のＹＥＳ）、認証処理部１２は、携帯端末２ａ，２ｂの認証処理を行う（ステップＳ４）。そして、携帯端末２ａ，２ｂからの認証データと液晶モニタ１の記憶部１４のデータとの照合結果が正しい場合、認証処理部１２は、携帯端末２ａ，２ｂとの通信を確立させた送受信部１１ａ〜１１ｄの位置を認証位置判定部１３ａに送る。
【００２７】
このように、液晶モニタ１から液晶モニタ側のアドレスを携帯端末２ａ，２ｂに送信しており、携帯端末２ａ，２ｂでは液晶モニタ側のアドレスを用いて液晶モニタ１に認証データを送信するので、携帯端末２ａ，２ｂ側の秘密情報（例えば、携帯端末側アドレス等）が携帯端末２ａ，２ｂの使用者の意図に反して携帯端末２ａ，２ｂから流出するのを防止できる。
【００２８】
続いて、認証位置判定部１３ａは、携帯端末２ａ，２ｂと送受信部１１ａ〜１１ｄの位置とを関連付けた受信位置情報を作成し（ステップＳ５）、接続処理部１３ｂは、携帯端末２ａ，２ｂから送られてくる画像データを解析、デコードする（ステップＳ６）。
映像処理部１３ｃは、認証位置判定部１３ａによる受信位置情報に基づき、接続処理部１３ｂでデコードした画像データの向きを変更するか否かを判定する（ステップＳ７）。
【００２９】
仮に、図４（Ａ）に示すように、認証位置判定部１３ａによる受信位置情報では、携帯端末２ａが図２で示した送受信部１１ｄで認証された場合や（図３のステップＳ７のＮＯ）、携帯端末２ｂが図２で示した送受信部１１ｃで認証された旨を作成した場合（図３のステップＳ７のＮＯ）、映像処理部１３ｃは、携帯端末２ａ，２ｂの各画像を図４（Ａ）に示した液晶モニタ１の手前側から読み取れるように、受信した画像データの向きを設定する。これにより、表示パネル１６の大画面には、携帯端末２ａ，２ｂの表示部２２に表示された各画像がいずれも同じ方向から読み取れるように、前述のＭｉｒａｃａｓｔ接続を用いて表示される（ステップＳ９）。
【００３０】
一方、例えば、図２や図４（Ｂ）に示すように、認証位置判定部１３ａによる受信位置情報では、携帯端末２ａが図２で示した送受信部１１ｄで認証された場合（図３のステップＳ７のＮＯ）、映像処理部１３ｃは、携帯端末２ａの画像を図４（Ｂ）に示した液晶モニタ１の手前側から読み取れるように、受信した画像データの向きを設定する。しかし、携帯端末２ｂについては図２で示した送受信部１１ｂで認証された旨を作成した場合（図３のステップＳ７のＹＥＳ）、映像処理部１３ｃは、携帯端末２ｂの画像を図４（Ｂ）に示した液晶モニタ１の奥側から読み取れるように、受信した画像データの向きを反転して設定する（図３のステップＳ８）。
【００３１】
これにより、表示パネル１６の大画面には、携帯端末２ａの表示部２２に表示された画像がＭｉｒａｃａｓｔ接続を用いて表示され（ステップＳ９）、また、携帯端末２ｂの表示部２２に表示された画像は、携帯端末２ａの画像に対して対面方向から読み取れるように、Ｍｉｒａｃａｓｔ接続を用いて表示される（ステップＳ９）。
このように、携帯端末２ａ，２ｂの認証に伴って画像データの向きを自動的に変更するので、従来のような表示方向の設定が不要になり、画像データを、携帯端末２ａ，２ｂの使用者に見やすい向きで速やかに表示できる。
【００３２】
（第２実施形態）
図５は、本発明の第２の実施形態に係る表示装置による表示方法の一例を説明するためのフロー図であり、本実施形態では、Ｍｉｒａｃａｓｔ接続に替えて同様の機能を有する無線接続を利用している。
具体的には、携帯端末２ａ，２ｂの認証については、上記実施形態のステップＳ１〜Ｓ５と同じであるが、携帯端末２ａ，２ｂからの画像データの送信については、この認証に関するＲＦＩＤシステムを用いた無線通信とは別系統の無線通信で行われている。
【００３３】
例えば、携帯端末２ａ，２ｂの使用者が携帯端末２ａ，２ｂを送受信部１１ａ〜１１ｄにかざし、携帯端末２ａ，２ｂが送受信部１１ａ〜１１ｄの所定範囲内に接近したと判定された場合（ステップＳ１１のＹＥＳ）、液晶モニタ１で画像データを受け取るために、液晶モニタ側のアドレスが携帯端末２ａ，２ｂに送信される（ステップＳ１２）。
このように、画像データについても、携帯端末２ａ，２ｂでは液晶モニタ側のアドレスを用いて送信しているので、携帯端末２ａ，２ｂ側の秘密情報（例えば、携帯端末側アドレス等）が携帯端末２ａ，２ｂの使用者の意図に反して携帯端末２ａ，２ｂから流出するのを防止できる。
【００３４】
次に、液晶モニタ１の制御部１３は、例えば、携帯端末２ａ，２ｂが有する画像のファイル名の一覧のデータを、送受信部１１ａ〜１１ｄを介して携帯端末２ａ，２ｂに要求する（ステップＳ１３）。
携帯端末２ａ，２ｂの制御部２３は、記憶部２４から画像のファイル名の一覧のデータを読み出し、送受信部２１を介して液晶モニタ１に送信する（ステップＳ１４）。
【００３５】
続いて、液晶モニタ１の制御部１３は、受け取った画像のファイル名の一覧のデータを記憶部１４に記憶し、例えば、このファイル名の一覧の画面を表示パネル１６に表示する（ステップＳ１５）。その後、ファイル名が選択された場合には（ステップＳ１６のＹＥＳ）、上記実施形態と同様に、映像処理部１３ｃは、認証位置判定部１３ａによる受信位置情報に基づき、ファイル名が選択された画像データの向きを変更するか否かを判定し、設定した画像データの向きで表示パネル１６の大画面に表示させる。
【００３６】
このように、画像データに関する無線通信は、ＲＦＩＤシステムを用いた無線通信とは別系統で構成されるため、当該システムを用いた場合に比べて通信速度が速く、携帯端末２ａ，２ｂからの画像データを速やかに受信して表示パネル１６に表示可能になる。
【符号の説明】
【００３７】
１…液晶モニタ、２ａ，２ｂ…携帯端末、１１ａ，１１ｂ，１１ｃ，１１ｄ…送受信部、１２…認証処理部、１３…制御部、１３ａ…認証位置判定部、１３ｂ…接続処理部、１３ｃ…映像処理部、１４…記憶部、１５…表示パネル制御部、１６…表示パネル、２１…送受信部、２２…表示部、２３…制御部、２４…記憶部。
【図１】
2019020737.tif 000003
【図２】
2019020737.tif 000004
【図３】
2019020737.tif 000005
【図４】
2019020737.tif 000006
【図５】
2019020737.tif 000007